Podtech/llm-jp-corpus-v4-ja_patent huggingface dataset:
【手続補正書】
【提出日】平成26年8月14日(2014.8.14)
【手続補正１】
【補正対象書類名】特許請求の範囲
【補正対象項目名】全文
【補正方法】変更
【補正の内容】
【特許請求の範囲】
【請求項１】
複数の試料における１以上の多型性を、同時に探索、検出、及び遺伝子型解析する方法であって、
（ａ）複数の試料からＤＮＡを用意するステップと、
（ｂ）少なくとも１つの制限エンドヌクレアーゼでＤＮＡを消化して、制限酵素切断断片を産生することにより、前記試料ＤＮＡの複雑度を減少させるステップと、
（ｃ）少なくとも１つの識別子タグを試料の前記制限酵素切断断片に付与して、タグ付き制限酵素切断断片を産生するステップと、
（ｄ）前記タグ付き制限酵素切断断片の少なくとも一部分をペアエンドシーケンシングするステップであって、断片のペアエンド配列リードの第１の配列リード及び第２の配列リードが、二重タグに、好ましくはコンピューター上で（ｉｎ  ｓｉｌｉｃｏ）結合されるステップと、
（ｅ）前記試料間の多型性を同定するステップと
を含む、方法。
【請求項２】
前記第１又は第２の配列リードの１つが、二重タグに結合する前に逆相補される、請求項１に記載の方法。
【請求項３】
前記識別子タグが、
前記制限酵素切断断片にタグ付きアダプターをライゲーションして、タグ付きアダプター連結制限酵素切断断片を産生すること、又は
前記アダプターの少なくとも一部分に相補的な少なくとも１つのタグ付きプライマーで、前記アダプター連結制限酵素切断断片を増幅して、タグ付きアダプター連結制限酵素切断断片を産生すること
によって付与される、請求項１に記載の方法。
【請求項４】
前記配列が、前記識別子タグに基づいて試料に配分される、請求項１〜３のいずれか一項に記載の方法。
【請求項５】
前記配分された配列が、試料間の配列における多型性を同定するために、前記試料の間で比較される、請求項１〜４のいずれか一項に記載の方法。
【請求項６】
前記二重タグが、前記試料の間で比較される、請求項１〜５のいずれか一項に記載の方法。
【請求項７】
前記試料が、同定された多型性に基づいて遺伝子型解析される、請求項１〜６のいずれか一項に記載の方法。
【請求項８】
前記複雑度の減少が、２つ以上の制限エンドヌクレアーゼで前記試料ＤＮＡを消化して、制限酵素切断断片を産生することを含む、請求項１〜７のいずれか一項に記載の方法。
【請求項９】
アダプターが、制限酵素切断断片の１端又は両端にライゲーションして、アダプター連結断片を与える、請求項１〜８のいずれか一項に記載の方法。
【請求項１０】
異なる制限酵素によって得られる制限酵素切断断片の各末端に、異なるアダプターがライゲーションする、請求項８又は９に記載の方法。
【請求項１１】
前記複雑度の減少が、アダプターの一部分に少なくとも相補的である少なくとも１つのプライマーで、アダプター連結断片を増幅することをさらに含む、請求項９又は１０に記載の方法。
【請求項１２】
前記プライマーが、制限エンドヌクレアーゼの認識配列の残存部分の少なくとも一部分にさらに相補的である、請求項１１に記載の方法。
【請求項１３】
前記プライマーが、前記プライマーの３’末端に１以上のランダム選択性ヌクレオチドをさらに含有する、請求項１２に記載の方法。
【請求項１４】
前記プライマーが、１以上の試料に対して、前記プライマーの３’末端に前記同一の１以上のランダム選択性ヌクレオチドを含有する、請求項１２に記載の方法。
【請求項１５】
シーケンシングが高スループットシーケンシングに基づき、好ましくは、パイロシーケンシング好ましくは固形担体上のパイロシーケンシング、又はライゲーションによるシーケンシング若しくはナノポアシーケンシングに基づく、請求項１から１４までのいずれか一項に記載の方法。
【手続補正書】
【提出日】平成26年5月29日(2014.5.29)
【手続補正１】
【補正対象書類名】特許請求の範囲
【補正対象項目名】全文
【補正方法】変更
【補正の内容】
【特許請求の範囲】
【請求項１】
インフレータからのガスにより膨張するサイドエアバッグを備えるタイプの車両搭乗者の保護のための側面衝撃システムであって、膨張するときに、前記サイドエアバッグが前記搭乗者の側方に位置する側面衝撃システムにおいて、
シートボルスタ空洞を形成する車両用シートボルスタと、
収縮状態で格納された膨張可能なサイドエアバッグであって、
前記サイドエアバッグの外面を形成し、かつ外側室を画定する外側部を有する少なくとも１つのサイドパネルと；前記サイドパネル内に配設され、前記サイドパネルのシートボルスタ部に接合されるとともに、シートボルスタ室を画定し、ガスが前記シートボルスタ室から前記外側室に流れるようにする少なくとも１つの開口を有するチューブパネルとを備え、
前記チューブパネル、前記サイドパネルの前記シートボルスタ部、および前記シートボルスタ室が、膨張するときに前記シートボルスタ空洞内に実質的に留まり、
前記チューブパネルが前記シートボルスタ空洞の外側エッジに実質的に近接する外側エッジを有し、
前記サイドパネルの前記シートボルスタ部が、前記サイドエアバッグが膨張するときに前記シートボルスタ空洞の内側に当接する、当該サイドエアバッグと、
前記シートボルスタ室および前記外側室にガスを供給するために作動可能なインフレータとを備えたことを特徴とする側面衝突システム。
【請求項２】
前記インフレータが、前記サイドエアバッグの前記シートボルスタ室内に配置される、請求項１に記載の側面衝撃システム。
【請求項３】
前記シートボルスタ室は、前記サイドエアバッグが膨張するときに前記シートボルスタ空洞と実質的に同じ大きさになる、請求項１に記載の側面衝撃システム。
【請求項４】
前記サイドパネルが、前記サイドエアバッグの外側にガスを放出するための少なくとも１つの通気孔を画定する、請求項１に記載の側面衝撃システム。
【請求項５】
前記少なくとも１つの通気孔が複数の通気孔であり、前記サイドパネルの前記外側部が前記複数の通気孔を画定する、請求項４に記載の側面衝撃システム。
【請求項６】
前記複数の通気孔は、前記サイドエアバッグが膨張するときに前記外側室内の圧力が前記シートボルスタ室内の圧力よりも低くなるような寸法とされる、請求項５に記載の側面衝撃システム。
【請求項７】
前記サイドパネルが、外縁で縫合されて少なくとも１つの外側継ぎ目を形成する、請求項４に記載の側面衝撃システム。
【請求項８】
前記通気孔が、前記外側継ぎ目から間隔を置いて配置される、請求項７に記載の側面衝撃システム。
【請求項９】
前記通気孔が、前記サイドパネルの前記外側部に形成される、請求項８に記載の側面衝撃システム。
【請求項１０】
前記ディフューザがループ織布インフレータディフューザであり、第１および第２ディフューザ孔は、前記インフレータの作動時に、ガスがディフューザから上下方向に流れるように前記ディフューザの両端に配置される、請求項１に記載の側面衝撃システム。
【請求項１１】
前記インフレータの作動時に、ガスが前記インフレータから前記第１および第２ディフューザ孔を通って前記シートボルスタ室内に移動し、次に前記チューブパネルの前記開口を通って前記外側室内に移動する、請求項１０に記載の側面衝撃システム。
【請求項１２】
インフレータからのガスにより膨張するように適合されたタイプの車両搭乗者の保護のためのサイドエアバッグであって、膨張するときに、前記サイドエアバッグが前記搭乗者の側方に位置し、前記サイドエアバッグが：
外郭を形成する少なくとも１つの外面パネルと；
前記外郭内に配設され、前記外郭を分割してシートボルスタ室と外側室とを形成し、膨張するときにシートボルスタ室のシートボルスタ空洞内に実質的に留まるように構成され、かつガスが前記シートボルスタ室から前記外側室へ流れるようにする少なくとも１つの開口を画定する内側バッフルと；
前記シートボルスタ室内に配設され、かつループ織布インフレータディフューザの両端に第１および第２ディフューザ孔を画定する前記ループ織布インフレータディフューザとを備えたことを特徴とするサイドエアバッグ。
【請求項１３】
前記シートボルスタ室および前記外側室にガスを供給するように作動可能なインフレータを更に備え、前記インフレータが前記ループ織布インフレータディフューザ内に配置される、請求項１２に記載のサイドエアバッグ。
【請求項１４】
前記インフレータの作動時に、ガスが前記インフレータから前記第１および第２ディフューザ孔を通って前記シートボルスタ室内に移動し、次に前記内側バッフルの開口を通って前記外側室内に移動する、請求項１３に記載のサイドエアバッグ。
【請求項１５】
前記外面パネルが、前記内側バッフルと共に前記外側室を形成する外側部と、前記シートボルスタ室を取り囲むシートボルスタ部とを備え、前記外側部が、前記サイドエアバッグの外側にガスを放出するための通気孔を画定する、請求項１２に記載のサイドエアバッグ。
【請求項１６】
前記外面パネルが外縁で縫合されて外側継ぎ目を形成し、前記通気孔が前記外側継ぎ目から間隔を置いて配置される、請求項１５に記載のサイドエアバッグ。
【請求項１７】
インフレータからのガスにより膨張するように適合されたタイプの車両搭乗者の保護のためのサイドエアバッグであって、膨張するときに、前記サイドエアバッグが、前記搭乗者の側方に位置し、前記サイドエアバッグが：
外縁で縫合されて外側継ぎ目を有する外郭を形成し、かつ外側部とシートボルスタ部とを有する少なくとも１つのサイドパネルと；
前記外郭内に配設され、前記外郭を分割して外側室とシートボルスタ室とを形成するチューブパネルであって、前記シートボルスタ室が前記サイドパネルの前記シートボルスタ部により取り囲まれ、膨張するときに車両シートのシートボルスタ空洞内に実質的に留まるように構成され、前記チューブパネルが前記サイドパネルの前記外側部と協働して前記外側室を形成する前記チューブパネルと；
前記シートボルスタ室と流体連通し、前記シートボルスタ室にガスを供給するように作動可能なインフレータとを備え、前記チューブパネルは、ガスが前記シートボルスタ室から前記外側室へ流れるようにする少なくとも１つの開口を画定し、
前記インフレータを囲むファブリック製のディフューザを更に備え、当該ディフーザは対向する両側に配置された第１及び第２のディフューザホール孔を有し、当該ディフューザは前記シートボルスタ室内に配置され、前記シートボルスタ室が膨張するときに当該シートボルスタ空洞内に留まるように構成され、
前記サイドパネルが前記サイドエアバッグの外側にガスを放出するための通気孔を画定し、前記通気孔が前記サイドパネルの前記外側部に画定され、かつ前記通気孔が前記外側継ぎ目から間隔を置いて配置される、サイドエアバッグ。
【請求項１８】
前記シートボルスタ空洞及び前記シートボルスタ室とが実質的に同一サイズであることを特徴とする請求項１に記載の側面衝撃システム。
【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
細長い部材の経路を定め、かつ、保護するための繊維スリーブであって、
横編み糸から成る、細長い繊維の内壁を備え、
前記内壁は、内面および外面を有し、
前記内面は、前記細長い部材が受容される略管状の空洞を与え、
前記内面は、少なくとも一部に、前記細長い部材との接触を緩和する非研磨面を与える、内側に敷設された糸を含み、さらに
前記内壁の前記外面に不浸透性のエラストマーコーティングを備える、繊維スリーブ。
【請求項２】
前記エラストマーコーティング上に配設される繊維の外壁をさらに含み、
前記エラストマーコーティングは、前記内壁と前記外壁との間に挟み込まれる、請求項１に記載の繊維スリーブ。
【請求項３】
前記繊維の外壁は、より合わされる、請求項２に記載の繊維スリーブ。
【請求項４】
前記繊維の外壁は、表編みされる、請求項２に記載の繊維スリーブ。
【請求項５】
前記内側に敷設された糸の少なくともいくらかは、低融点のポリマー糸である、請求項１に記載の繊維スリーブ。
【請求項６】
内部に受容される細長い部材と組み合わされた繊維スリーブであって、
横編み糸から成る、細長い内壁を備え、
前記内壁は、内面および外面を有し、
前記内面は、前記細長い部材が受容される略管状の空洞を与え、
前記内面は、少なくとも一部に、前記細長い部材との接触を緩和する非研磨面を与える、内側に敷設された糸を含み、さらに
前記内壁の前記外面上における不浸透性のエラストマーコーティングと、
前記細長い部材に接着された、少なくともいくらかの前記内側に敷設された糸とを備える、繊維スリーブ。
【請求項７】
前記エラストマーコーティング上に配設される繊維の外壁をさらに含み、
前記エラストマーコーティングは、前記内壁と前記外壁との間に挟み込まれる、請求項６に記載の繊維スリーブ。
【請求項８】
細長い部材の経路を定め、かつ、保護するための繊維スリーブの製造方法であって、
内側の管状の空洞と外面とが接する内面を有する管状の内壁を横編みし、その横編み中に横糸を挿入して前記内面の少なくとも一部を形成するステップと、
前記管状の内壁の外面にエラストマーコーティングを塗布するステップとを含む、方法。
【請求項９】
繊維の外壁を前記エラストマーコーティング上に形成するステップをさらに含み、
前記エラストマーコーティングは、繊維の前記内壁と前記外壁との間に挟み込まれる、請求項８に記載の方法。
【請求項１０】
前記内面の少なくとも一部を形成するために低融点のポリマー糸を挿入するステップをさらに含む、請求項８に記載の方法。
【手続補正書】
【提出日】平成26年10月28日(2014.10.28)
【手続補正１】
【補正対象書類名】特許請求の範囲
【補正対象項目名】全文
【補正方法】変更
【補正の内容】
【特許請求の範囲】
【請求項１】
（ｉ）ドメインＶのステム（ａ）又は（ｂ）内に塩基対ミスマッチを有さないように改変された、Ｓａｂｉｎ３の５’非コード領域からなる５’非コード領域であって、ステム（ａ）及び（ｂ）内の塩基対のうちの７個又は８個がＵ−Ａ塩基対又はＡ−Ｕ塩基対である５’非コード領域と、
（ii）Ｓａｂｉｎ１、Ｍａｈｏｎｅｙ、ＭＥＦ又はＳａｕｋｅｔｔ株からのカプシドタンパク質と
を有する弱毒化組換えポリオウイルス。
【請求項２】
Ｓａｂｉｎ３に由来する非構造コード領域及び３’非コード領域を有する、請求項１に記載のポリオウイルス。
【請求項３】
（ｉ）Ｕ−Ａ塩基対がステム（ａ）内の４７１〜５３８位及び４７２〜５３７位並びにステム（ｂ）内の４７８〜５３３位、４８０〜５３１位及び４８１〜５３０位に存在し、Ａ−Ｕ塩基対がステム（ｂ）内の４７９〜５３２位及び４８２〜５２９位に存在する、又は
（ii）Ｕ−Ａ塩基対がステム（ａ）内の４７１〜５３８位及び４７２〜５３７位並びにステム（ｂ）内の４７８〜５３３位、４８０〜５３１位及び４８１〜５３０位に存在し、Ａ−Ｕ塩基対がステム（ｂ）内の４７７〜５３４位、４７９〜５３２位及び４８２〜５２９位に存在する、
改変された、Ｓａｂｉｎ３の５’非コード領域のドメインＶを含む、請求項１又は２に記載のポリオウイルス。
【請求項４】
プロテアーゼ２Ａ遺伝子内に変異をさらに含み、前記変異が、サル起源の細胞における免疫原性粒子の収量の増加と関連している、請求項１〜３のいずれかに記載のポリオウイルス。
【請求項５】
プロテアーゼ２Ａ遺伝子内の変異が、請求項１〜３のいずれかに記載のポリオウイルスをＶｅｒｏ細胞内で継代することによって得ることができる、請求項４に記載のポリオウイルス。
【請求項６】
変異が、残基Ｈ２０、Ｄ３８又はＣ１０９を変化させない、請求項４又は５に記載のポリオウイルス。
【請求項７】
変異が、Ａ８Ｖ、Ｙ１０Ｃ、１７ＣＹ、Ｎ１８Ｓ、Ｔ１９Ｃ、Ｙ１９Ｈ、Ｔ２３Ｉ、Ｅ２５Ｇ、Ａ３０Ｐ、Ｉ３３Ｖ、Ｗ３５Ｒ、Ｋ４５Ｅ、Ｇ４８Ｄ、Ｅ６５Ｋ、Ｅ６５Ｖ、Ｙ７０Ｃ、Ｔ７９Ａ、Ｆ８０Ｌ、Ｙ８２Ｈ、Ｙ９３Ｈ、Ｈ９６Ｙ、Ｓ１０５Ｔ、Ｐ１０６Ｓ、Ｉ１２２Ｖ、Ｖ１２３Ａ、Ｇ１２７Ｒ、Ｖ１３１Ａ及びＳ１３４Ｔのうちのいずれか１又は２以上のアミノ酸の変化である、請求項４〜６のいずれかに記載のポリオウイルス。
【請求項８】
不活化されている、請求項１〜７のいずれかに記載のポリオウイルス。
【請求項９】
ワクチンにおいて使用するための、請求項８に記載のポリオウイルス。
【請求項１０】
請求項８に記載のポリオウイルスと、薬学的に許容される担体又は希釈剤とを含むワクチン。
【請求項１１】
不活化ポリオワクチン（ＩＰＶ）の種としての、請求項１〜７のいずれかに記載のポリオウイルスのインビトロでの使用。
【請求項１２】
不活化ポリオワクチンを調製する方法であって、
（ｉ）請求項１〜７のいずれかに記載のポリオウイルスを生体外の細胞培養で増殖させるステップと、
（ii）前記ポリオウイルスを不活化するステップと、
（iii）前記不活化ポリオウイルスを、薬学的に許容される担体又は希釈剤と共に製剤化するステップと
を含む方法。
【請求項１３】
ポリオウイルスを非ヒト細胞内で増殖させる、請求項１２に記載の方法。
【請求項１４】
ポリオウイルスに対してワクチン接種する方法において使用するための医薬品の製造における、請求項８に記載のポリオウイルスの使用。
【請求項１５】
請求項８に記載のポリオウイルスを含む、ポリオウイルスに対するワクチン。
【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
非凸断面を有する特徴部を有するインプリントリソグラフィテンプレートを形成する方法であって、
基板上に第１の材料層を形成する段階と、
凸幾何学断面を有する特徴部のパターン形成表面を有するインプリントリソグラフィテンプレートを用いて、前記第１の材料層の上に形成可能材料の第１のパターン付き層を形成する段階と、
前記第１のパターン付き層及び前記第１の材料層の一部を除去して、該第１の材料層に凸幾何学断面を有する陥没部を形成する段階と、
凸幾何学断面を有する特徴部のパターン形成表面を有するインプリントリソグラフィテンプレートを用いて、前記第１の層の上に形成可能材料の第２のパターン付き層を形成する段階であって、該テンプレート特徴部が、該第１の層に形成された相応する前記陥没部に対して変位される段階と、
前記第２のパターン付き層及び前記第１の材料層の一部を除去して、該第１の材料層に非凸幾何学断面を有する陥没部を形成する段階と、
前記基板をエッチングして、該基板に非凸幾何学断面を有する陥没部を形成する段階と、
前記第２のパターン付き層の残りの部分を除去する段階と、
前記第１の材料層の残りの部分を除去する段階と、
を含む方法。
【請求項２】
前記相応する陥没部に対する前記特徴部の前記変位は、回転変位である、請求項１に記載の方法。
【請求項３】
前記相応する陥没部に対する前記特徴部の前記変位は、側方変位である、請求項１に記載の方法。
【請求項４】
非凸断面を有する特徴部を有するインプリントリソグラフィテンプレートを形成する方法であって、
基板上に第１の材料層を形成する段階と、
第１の凸幾何学断面を有する特徴部のパターン形成表面を有するインプリントリソグラフィテンプレートを用いて、前記第１の材料層の上に形成可能材料の第１のパターン付き層を形成する段階と、
前記第１のパターン付き層及び前記第１の材料層の一部を除去して、該第１の材料層に第１の凸幾何学断面を有する陥没部を形成する段階と、
第２の凸幾何学断面を有する特徴部のパターン形成表面を有するインプリントリソグラフィテンプレートを用いて、前記第１の層の上に形成可能材料の第２のパターン付き層を形成する段階であって、該テンプレート特徴部が、該第１の層内に形成された、第１の凸幾何学断面を有する相応する前記陥没部と整列される段階と、
前記第２のパターン付き層及び前記第１の材料層の一部を除去して、該第１の材料層に非凸幾何学断面を有する陥没部を形成する段階と、
前記基板をエッチングして、該基板に非凸幾何学断面を有する陥没部を形成する段階と、
前記第２のパターン付き層の残りの部分を除去する段階と、
前記第１の材料層の残りの部分を除去する段階と、
を含む方法。
【請求項５】
前記幾何学断面は、多角形である、請求項１から４のいずれかに記載の方法。
【請求項６】
前記インプリントテンプレートの前記特徴部は、隆起部である、請求項１から５のいずれかに記載の方法。
【請求項７】
前記インプリントテンプレートの前記特徴部は、陥没部である、請求項１から５のいずれかに記載の方法。
【請求項８】
前記第１の材料層及び前記形成可能材料は、異なるエッチング特性を有する、請求項１から５のいずれかに記載の方法。
【請求項９】
前記第１の材料層は、金属を含む、請求項１から８のいずれかに記載の方法。
【請求項１０】
前記第１の材料層は、クロムを含む、請求項１から８のいずれかに記載の方法。
【請求項１１】
非凸断面の幾何学断面と、２５ｎｍよりも小さい曲率半径を有する少なくとも１つの隅部とを有する特徴部を有するパターン形成表面を備えるインプリントリソグラフィテンプレート。
【請求項１２】
前記幾何学断面は、多角形である、請求項１１に記載のテンプレート。
【請求項１３】
請求項１１又は１２に記載のテンプレートであって、前記インプリントテンプレートの前記特徴部は、隆起部であることを特徴とするテンプレート。
【請求項１４】
請求項１１又は１２に記載のテンプレートであって、前記インプリントテンプレートの前記特徴部は、陥没部であることを特徴とするテンプレート。
【請求項１５】
請求項１１から１４のいずれかに記載のインプリントリソグラフィテンプレートを用いて、非凸断面の幾何学断面を有するナノ構造を形成する方法。
【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
オブジェクトにより反射された可視放射線から導出される生理的情報を有する入力信号から取得されたデータを処理するためのプライバシ保護システムであって、
前記生理的情報は、少なくとも１つの少なくとも部分的に周期的なバイタル信号を表し、
当該システムは、前記入力信号における少なくとも１つのバイタルサインを検出するための検出手段であって、前記入力信号は、特定の信号空間に関する画像フレームの連続的な又は異なるシーケンスを有し、前記少なくとも１つのバイタルサインは、時間に渡って変化し、前記少なくとも１つの少なくとも部分的に周期的なバイタル信号に対応し、前記少なくとも１つの少なくとも部分的に周期的なバイタル信号は、心拍数、呼吸数及び心拍変動性からなるグループから選択され、前記少なくとも１つの少なくとも部分的に周期的なバイタル信号は、時間に渡る皮膚色の僅かな変化から得られる、検出手段と、
検出されたバイタルサインに依存して前記入力信号を修正することにより出力信号を生成するためのコンバータ手段とを有し、
前記出力信号は、前記入力信号の前記少なくとも１つのバイタルサインのそれぞれのバイタルサインを少なくとも部分的に置換する人工的なサインを有する、プライバシ保護システム。
【請求項２】
前記検出手段は、前記少なくとも１つのバイタルサインの時間的変化を検出するように更に適合され、前記時間的変化は、前記少なくとも１つの少なくとも部分的に周期的なバイタル信号を示す、請求項１に記載のプライバシ保護システム。
【請求項３】
前記コンバータ手段は、
前記少なくとも１つのバイタルサインの時間的変化を均一化するための均一化手段、
前記入力信号から前記少なくとも１つのバイタルサインを除去するためのマスク手段、
前記少なくとも１つのバイタルサインの時間的変化を示すバイタル信号の振幅を強化するための評価促進手段、及び、
前記少なくとも１つのバイタルサインの時間的変化を修正するためのモジュレータ手段からなるグループから選択される下位手段を更に有し、
前記モジュレータ手段は、周波数修正を前記時間的変化に適用するように適合される、請求項２に記載のプライバシ保護システム。
【請求項４】
前記コンバータ手段は、前記画像フレームの大部分を変化させるための全体のコンバータを更に有し、
前記大部分は、非表示サインを有し、
前記全体のコンバータは、再使用不能変調を前記少なくとも１つのバイタルサインの時間的変化に適用するように好ましくは適合される、請求項１又は請求項２に記載のプライバシ保護システム。
【請求項５】
前記コンバータ手段は、複数ステージ変換を前記少なくとも１つのバイタルサインに適用するように適合される、請求項２に記載のプライバシ保護システム。
【請求項６】
可視光、赤外線及び紫外線放射からなるグループから選択される少なくとも１つの特定の波長範囲内で可視電磁放射を検出するためのセンサ手段を更に有し、
前記センサ手段は、前記入力チャネルに接続可能である、請求項１に記載のプライバシ保護システム。
【請求項７】
前記入力信号をバッファリングするためのバッファ手段を更に有し、
前記バッファ手段は、無断データアクセスを防止するためのアクセス保護を有する、請求項６に記載のプライバシ保護システム。
【請求項８】
前記検出手段は、色正規化及び輝度正規化を前記信号空間に適用するために更に適合される、請求項１に記載のプライバシ保護システム。
【請求項９】
オブジェクトにより反射された可視放射線から導出される生理的情報を有する入力信号から取得されたデータを処理するためのプライバシ保護方法であって、
前記生理的情報は、少なくとも１つの少なくとも部分的に周期的なバイタル信号を表し、
当該方法は、
入力チャネルからの入力信号を受信するステップと、
前記入力信号における少なくとも１つのバイタルサインを検出するステップであって、前記入力信号は、特定の信号空間に関する画像フレームの連続的な又は異なるシーケンスを有し、前記少なくとも１つのバイタルサインは、時間に渡って変化するとともに、前記少なくとも１つの少なくとも部分的に周期的なバイタル信号に対応し、前記少なくとも１つの少なくとも部分的に周期的なバイタル信号は、心拍数、呼吸数及び心拍変動性からなるグループから選択され、前記少なくとも１つの少なくとも部分的に周期的なバイタル信号は、時間に渡る皮膚色の僅かな変化から得られる、ステップと、
検出されたバイタルサインに依存して前記入力信号を修正することにより出力信号を生成するステップであって、前記出力信号は、前記入力信号の前記少なくとも１つのバイタルサインのそれぞれのバイタルサインを少なくとも部分的に置換する人工的なサインを有する、ステップと、
前記出力信号を出力チャンネルに供給するステップとを有する、プライバシ保護方法。
【請求項１０】
コンピュータプログラムがコンピュータ上で実行されたときに、請求項９に記載のプライバシ保護方法のステップをコンピュータに実行させるためのプログラムコード手段を有する、コンピュータプログラム。
【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
対象を感知する感知装置において、
前記対象を超音波で感知する超音波ユニットと、
前記対象に電気エネルギを印加する電気エネルギ印加ユニットと、
前記電気エネルギ印加ユニットに電気的に接続され、前記超音波ユニットを電気的に遮蔽する超音波ユニット遮蔽素子とを有する感知装置。
【請求項２】
前記感知装置が、カテーテルを有し、前記超音波ユニット、前記電気エネルギ印加ユニット及び前記超音波ユニット遮蔽素子が、前記カテーテルに一体化される、請求項１に記載の感知装置。
【請求項３】
前記電気エネルギ印加ユニットが、前記対象に電気エネルギを印加する電極であり、前記電極が、前記超音波ユニット遮蔽素子に電気的に接続される、請求項１に記載の感知装置。
【請求項４】
前記超音波ユニットが、少なくとも２つの接続電極を有し、第１の接続電極が、前記超音波ユニットを制御する超音波制御ユニットと前記超音波ユニットを接続する制御電気接続に電気的に接続され、前記超音波ユニットの第２の電極が、前記制御電気接続を遮蔽する電気接続遮蔽素子に電気的に接続される、請求項１に記載の感知装置。
【請求項５】
前記電気接続遮蔽素子が、５Ωより小さい抵抗を持つ、請求項１に記載の感知装置。
【請求項６】
前記超音波ユニットが、少なくとも２つの接続電極を有し、第１の接続電極が、前記超音波ユニットを制御する超音波制御ユニットと前記超音波ユニットを接続する制御電気接続に電気的に接続され、前記超音波ユニットの第２の電極が、前記超音波ユニット遮蔽素子に電気的に接続される、請求項１に記載の感知装置。
【請求項７】
前記超音波ユニット遮蔽素子が、前記超音波ユニットを電気的に遮蔽するように前記超音波ユニットを囲むハウジングである、請求項１に記載の感知装置。
【請求項８】
前記超音波ユニット及び前記ハウジングは、超音波が前記ハウジングの超音波領域を通して放射可能及び／又は受信可能であるように構成される、請求項７に記載の感知装置。
【請求項９】
前記超音波ユニットが、前記ハウジングの前記超音波領域における超音波波長を規定する超音波周波数において動作可能であり、少なくとも前記超音波領域において、前記ハウジングが、前記超音波波長の４分の１より小さい厚さを持つ壁を持つ、請求項８に記載の感知装置。
【請求項１０】
前記超音波領域が、前記超音波ユニットと機械的に接続される、請求項８に記載の感知装置。
【請求項１１】
前記感知装置が、前記対象の超音波感知に依存して前記対象に対するエネルギ印加の影響を決定する対象影響決定ユニットを有する、請求項１に記載の感知装置。
【請求項１２】
前記エネルギ印加ユニットが、前記対象を切除し、前記対象影響決定ユニットが、前記対象の超音波感知に依存してアブレーション深度を決定する、請求項１１に記載の感知装置。
【請求項１３】
対象を感知する感知コンピュータプログラムにおいて、前記コンピュータプログラムが、請求項１に記載の感知装置を制御するコンピュータ上で実行される場合に、前記感知装置に、
超音波ユニットにより前記対象を超音波で感知するステップと、
電気エネルギ印加ユニットにより前記対象に電気エネルギを印加するステップとを実行させるプログラムコード手段を有し、
前記電気エネルギ印加ユニットに電気的に接続される超音波ユニット遮蔽素子が、前記超音波ユニットを電気的に遮蔽する、感知コンピュータプログラム。
【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
下記の構造：
X1-X2-X3-X4-X5  (式Ｉ)
(式中、X1及びX3は、独立して、１、２又は３つのアルギニンの直鎖配列を意味し；X2及びX4はHCV、CMV、HPV若しくはインフルエンザの同じ抗原又は該抗原の変異型配列であって、該抗原と比較して１〜10の置換、付加若しくは欠失を含み、その天然型配列と少なくとも50％の配列同一性を有する変異型配列からの８〜15アミノ酸の直鎖配列を意味し；X4はX2とは異なり；X5は、随意に存在してもよいアルギニンである)
を含んでなる単離された細胞透過性ペプチド。
【請求項２】
１以上のシステインを含んでなる、請求項１に記載の単離ペプチド。
【請求項３】
X2中のＮ-及び/又はＣ-末端アミノ酸が親水性又は極性アミノ酸である、請求項１又は２に記載の単離ペプチド。
【請求項４】
X4中のＮ-末端アミノ酸が親水性又は極性アミノ酸である、請求項１〜３のいずれか１項に記載の単離ペプチド。
【請求項５】
X1及び/又はX3が２又は３アミノ酸からなる、請求項１〜４のいずれか１項に記載の単離ペプチド。
【請求項６】
X1がRRからなる、請求項５に記載の単離ペプチド。
【請求項７】
X3がRRからなる、請求項５又は６に記載の単離ペプチド。
【請求項８】
X2及び/又はX4が12アミノ酸未満の直鎖配列である、請求項１〜７のいずれか１項に記載の単離ペプチド。
【請求項９】
各ペプチド単量体が請求項１〜８のいずれか１項に記載のペプチドである２つのペプチド単量体を含んでなる二量体ペプチド。
【請求項１０】
請求項１〜８のいずれか１項に記載のペプチドを２以上含んでなるペプチドの組合せ。
【請求項１１】
請求項１〜８のいずれか１項に記載のペプチドをコードする単離された核酸又はポリヌクレオチド。
【請求項１２】
請求項１１に記載の核酸若しくはポリヌクレオチドを含んでなるベクター又は該ベクターを含んでなる宿主細胞。
【請求項１３】
少なくとも、請求項１〜８のいずれか１項に記載のペプチド、請求項９に記載の二量体ペプチド、請求項１０に記載のペプチドの組合せ、請求項１１に記載の核酸若しくはポリヌクレオチド又は請求項１２に記載のベクターを、医薬的に許容され得る希釈剤若しくはビヒクル及び随意に免疫学的アジュバントと組み合わせて含んでなる免疫原性組成物。
【請求項１４】
ワクチン組成物の形態である請求項１３に記載の免疫原性組成物。
【請求項１５】
対象者において抗原に対する免疫応答を誘導する方法での使用のための、請求項１〜８のいずれか１項に記載のペプチド、請求項９に記載の二量体ペプチド、請求項１０に記載のペプチドの組合せ、請求項１１に記載の核酸若しくはポリヌクレオチド又は請求項１２に記載のベクター又は請求項１３若しくは１４に記載の組成物。
【請求項１６】
対象者においてウイルスの病理学的効果を減少させ及び/又は遅延させる方法での使用のための、請求項１〜８のいずれか１項に記載のペプチド、請求項９に記載の二量体ペプチド、請求項１０に記載のペプチドの組合せ、請求項１１に記載の核酸若しくはポリヌクレオチド又は請求項１２に記載のベクター又は請求項１３若しくは１４に記載の組成物。
【請求項１７】
医薬に使用するための、請求項１〜８のいずれか１項に記載のペプチド。
【請求項１８】
対象者においてウイルスの病理学的効果を治療する方法での使用のための請求項１〜８のいずれか１項に記載のペプチド。
【請求項１９】
請求項１〜８のいずれか１項に記載のペプチド、請求項９に記載の二量体ペプチド、請求項１０に記載のペプチドの組合せ、請求項１１に記載の核酸若しくはポリヌクレオチド又は請求項１２に記載のベクターの、対象者において抗原に対する免疫応答を誘導する組成物の製造における使用。
【請求項２０】
請求項１〜８のいずれか１項に記載のペプチド、請求項９に記載の二量体ペプチド、請求項１０に記載のペプチドの組合せ、請求項１１に記載の核酸若しくはポリヌクレオチド又は請求項１２に記載のベクターの、対象者においてウイルスの病理学的効果を減少させ及び/又は遅延させるための組成物の製造における使用。
【手続補正書】
【提出日】平成26年5月14日(2014.5.14)
【手続補正１】
【補正対象書類名】明細書
【補正対象項目名】００１３
【補正方法】変更
【補正の内容】
【００１３】
【図１】欠失異常を示す癌細胞の染色体領域を図示する。正常細胞及び癌細胞のＨａｐＩ＝配列番号１；正常細胞ＨａｐＩＩ＝配列番号２。
【図２】増幅異常を示す癌細胞の染色体領域を図示する。正常細胞及び癌細胞のＨａｐＩ＝配列番号１；正常細胞及び癌細胞のＨａｐＩＩ＝配列番号２。
【図３】異なる癌タイプおよび関連領域およびそれらの対応する異常を例証する表３００を示す。
【図４】本発明の実施形態による、血漿中で行なわれた測定値と共に異常を示さない癌細胞内の染色体領域を図示する。正常細胞及び癌細胞のＬＯＨ領域のＨａｐＩ＝配列番号１；正常細胞ＨａｐＩＩ＝配列番号２。
【図５】本発明の実施形態による、欠失領域を決定するため血漿中で行なわれた測定値と共に癌細胞内の染色体領域５１０の欠失を図示する。正常細胞及び癌細胞のＬＯＨ領域のＨａｐＩ＝配列番号１；正常細胞ＨａｐＩＩ＝配列番号２。
【図６】本発明の実施形態による、増幅領域を決定するため血漿中で行なわれた測定値と共に癌細胞内の染色体領域６１０の増幅を図示する。正常細胞及び癌細胞のＨａｐＩ＝配列番号１；正常細胞及び癌細胞のＨａｐＩＩ＝配列番号２。
【図７】本発明の実施形態による、腫瘍組織中の単対立遺伝子の増幅を示す染色体１ｐに位置する断片の肝細胞癌（ＨＣＣ）患者の血漿ＤＮＡのＲＨＤＯ分析を示す。
【図８】本発明の実施形態による、欠失を含む腫瘍が存在する場合、染色体領域の２ハプロタイプにおける断片サイズ分布変化を示す。
【図９】本発明の実施形態による、増幅を含む腫瘍が存在する場合、染色体領域の２ハプロタイプにおける断片サイズ分布変化を示す。
【図１０】本発明の実施形態による、染色体領域が欠失または増幅を示すかどうかを決定する生物の生体試料のハプロタイプの分析方法を例証するフローチャートである。
【図１１】本発明の実施形態による、欠失領域を決定するための血漿中で行なわれた測定値と共に癌細胞内で欠失している副領域１１３０を伴う領域１１１０を示す。正常細胞及び癌細胞のＬＯＨ領域のＨａｐＩ＝配列番号１；正常細胞ＨａｐＩＩ＝配列番号２。
【図１２】本発明の実施形態による、ＲＨＤＯ分析を用いた異常位置のマッピング方法を示す。
【図１３】本発明の実施形態による、別方向から開始したＲＨＤＯ分類を示す。
【図１４】本発明の実施形態による、複数の染色体領域を用いて生物の生体試料を分析する方法１４００のフローチャートである。
【図１５】本発明の実施形態による、腫瘍由来断片の様々な数の断片および分画濃度に必要な深さを例証する表１５００を示す。図１５は、試料中の癌由来ＤＮＡの分画濃度の異なるパーセンテージを分析する推定分子数を提供する。
【図１６】本発明の実施形態による、相対的ハプロタイプ用量（ＲＨＤＯ）分析による血漿中の腫瘍由来ＤＮＡの分画濃度を測定する原理を示す。ＨａｐＩとＨａｐＩＩは、本発明の実施形態による、非腫瘍組織における２ハプロタイプを示す。非腫瘍組織及び癌細胞のＨａｐＩ＝配列番号３；非腫瘍組織ＨａｐＩＩ＝配列番号４。
【図１７】本発明の実施形態による、核酸分子を含む生体試料を用いて、生物の染色体異常の進行を決定する方法を例証するフローチャートである。
【図１８Ａ】癌患者の染色体４のｑ群の断片のＲＨＤＯ分析用のＳＰＲＴ曲線を示す。点は、各異型接合の遺伝子座後の累積数の比率を表す。
【図１８Ｂ】は、治療後の患者の染色体４のｑ群の断片のＲＨＤＯ分析用のＳＰＲＴ曲線を示す。
【図１９】ＨＣＣ中に見られる一般的な染色体異常を示す。
【図２０Ａ】標的の分析を用いてＨＣＣと健常患者の正規化タグ数比率の結果を示す。
【図２０Ｂ】ＨＣＣ患者３例および健常対照対象４例における対象の富化および大規模並列シークエンシング後のサイズ分析の結果を示す。
【図２１】本発明の実施形態による、血漿ＤＮＡを計数する配列したタグからのデータを示すＨＣＣ患者の円状プロットを示す。
【図２２】本発明の実施形態による、ＨＣＣを呈さない慢性Ｂ型肝炎ウイルス（ＨＢＶ）保因者の血漿試料における配列したタグ計数分析を示す。
【図２３】本発明の実施形態による、第３期鼻咽頭癌（ＮＰＣ）患者の血漿試料における配列したタグ計数分析を示す。
【図２４】本発明の実施形態による、第４期ＮＰＣ患者の血漿試料における配列したタグ計数分析を示す。
【図２５】本発明の実施形態による、腫瘍組織中のヘテロ接合の欠失（ＬＯＨ）を示す領域サイズに対する血漿ＤＮＡの累積頻度プロットを示す。
【図２６】ＬＯＨ領域における配列した血漿ＤＮＡのサイズに対するΔＱを示す。本発明の実施形態による、サイズ１３０ｂｐでΔＱは０．２に達する。
【図２７】本発明の実施形態による、腫瘍組織中の染色体の複製を伴う領域サイズに対する血漿ＤＮＡの累積頻度プロットを示す。
【図２８】本発明の実施形態による、増幅した領域における配列した血漿ＤＮＡサイズに対するΔＱを示す。
【図２９】本発明の実施形態によるシステムおよび方法と共に使用可能な例のコンピュータシステム９００のブロック図を示す。
【手続補正２】
【補正対象書類名】明細書
【補正対象項目名】配列表
【補正方法】追加
【補正の内容】
【配列表】
2014502155000001.app
【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
医用画像を処理するためのシステムであって、
前記医用画像を受信するための入力と、
前記医用画像の少なくとも第１の部分の強度頻度分布を決定することにより、前記医用画像の画像特性を取得するためのプロセッサと、
ｉ）前記強度頻度分布のスロープ若しくはピークを決定し、及びｉｉ）前記スロープ若しくは前記ピークに基づき前記医用画像をカテゴリ化することにより、前記医用画像のカテゴリを取得するためのカテゴライザと、
前記カテゴリに基づき複数のセグメンテーションアルゴリズムの中からセグメンテーションアルゴリズムを選択することによってセグメンテーション手段を構成するためのアルゴリズムセレクタであって、関心領域を取得するために前記セグメンテーション手段が前記セグメンテーションアルゴリズムで前記医用画像をセグメント化することを可能にするためのアルゴリズムセレクタとを有するシステム。
【請求項２】
前記プロセッサが前記医用画像の第１の部分を取得するために前記医用画像を事前セグメント化するための事前セグメンテーション手段を有し、前記プロセッサが前記第１の部分から前記画像特性を取得する、請求項１に記載のシステム。
【請求項３】
前記事前セグメンテーション手段が、臓器を有する前記医用画像の部分を前記第１の部分として取得するために、当該臓器と関連する事前セグメンテーションアルゴリズムで前記医用画像を事前セグメント化する、請求項２に記載のシステム。
【請求項４】
前記プロセッサが前記第１の部分の位置、サイズ、形状、平均強度若しくは強度分布の群の少なくとも一つを決定することによって前記画像特性を取得する、請求項２に記載のシステム。
【請求項５】
前記事前セグメンテーション手段がさらに前記医用画像の第２の部分を取得するために前記医用画像を事前セグメント化し、前記プロセッサが前記第２の部分からさらなる画像特性を取得し、前記カテゴライザが、
前記画像特性を前記さらなる画像特性と比較すること、及び
前記比較動作の結果に基づき前記医用画像をカテゴリ化することによって前記医用画像をカテゴリ化する、請求項２に記載のシステム。
【請求項６】
前記比較動作の結果が前記医用画像内の前記第１の部分と前記第２の部分の間の重なりを示す、請求項５に記載のシステム。
【請求項７】
前記プロセッサが前記医用画像の少なくとも第１の部分のコントラスト、ノイズレベル若しくはシャープネスの群の少なくとも一つを決定することによって前記画像特性を取得する、請求項１に記載のシステム。
【請求項８】
前記入力がさらに前記医用画像と関連するメタデータを受信し、前記プロセッサが前記メタデータから前記医用画像の前記画像特性を取得する、請求項１に記載のシステム。
【請求項９】
請求項１に記載のシステムを有するワークステーション。
【請求項１０】
請求項１に記載のシステムを有する画像装置。
【請求項１１】
医用画像を処理する方法であって、
前記医用画像を受信するステップと、
前記医用画像の少なくとも第１の部分の強度頻度分布を決定することにより、前記医用画像の画像特性を取得するステップと、
ｉ）前記強度頻度分布のスロープ若しくはピークを決定し、及びｉｉ）前記スロープ若しくは前記ピークに基づき前記医用画像をカテゴリ化することにより、前記医用画像のカテゴリを取得するために前記医用画像をカテゴリ化するステップと、
前記カテゴリに基づき複数のセグメンテーションアルゴリズムの中からセグメンテーションアルゴリズムを選択することによってセグメンテーション手段を構成するステップであって、関心領域を取得するために前記セグメンテーション手段が前記セグメンテーションアルゴリズムで前記医用画像をセグメント化することを可能にするためのステップとを有する方法。
【請求項１２】
プロセッサシステムに請求項１１に記載の方法を実行させるための命令を有するコンピュータプログラム。
【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
配列番号１のアミノ酸配列を含む単離ポリペプチド。
【請求項２】
配列番号２のアミノ酸配列を含む、請求項１に記載の単離ポリペプチド。
【請求項３】
配列番号３のアミノ酸配列を含む、請求項１に記載の単離ポリペプチド。
【請求項４】
配列番号４〜９からなる群から選択された配列を含む、請求項１〜３のいずれか１項に記載の単離ポリペプチド。
【請求項５】
配列番号４、配列番号５、配列番号７、および配列番号９からなる群から選択された配列を含む、請求項１〜３のいずれか１項に記載の単離ポリペプチド。
【請求項６】
配列番号４、配列番号７、および配列番号９からなる群から選択された配列を含む、請求項１〜３のいずれか１項に記載の単離ポリペプチド。
【請求項７】
請求項１〜６のいずれか１項に記載のポリペプチドを含むウイルス様粒子（ＶＬＰ）。
【請求項８】
請求項１〜６のいずれか１項に記載のポリペプチドをコードする単離核酸。
【請求項９】
プロモータに作動可能に連結された請求項８に記載の単離核酸を含む組換え発現ベクター。
【請求項１０】
請求項９に記載の組換え発現ベクターを含む組換え宿主細胞。
【請求項１１】
請求項１〜６のいずれか１項に記載のポリペプチドまたは請求項７に記載のＶＬＰと、薬学的に許容可能な担体とを含む、医薬組成物。
【請求項１２】
呼吸器多核体ウイルス（ＲＳＶ）感染症を治療する方法であって、ＲＳＶに感染した対象個体に、前記感染症を治療するのに有効な量の、請求項１〜６のいずれか１項に記載のポリペプチド、請求項７に記載のＶＬＰ、または請求項１１に記載の医薬組成物を投与するステップを含む方法。
【請求項１３】
ＲＳＶ感染症の発症を制限する方法であって、ＲＳＶ感染症のリスクを有する対象個体に、ＲＳＶ感染症の発症を制限するのに有効な量の、請求項１〜６のいずれか１項に記載のポリペプチド、請求項７に記載のＶＬＰ、または請求項１１に記載の医薬組成物を投与するステップを含む方法。
【請求項１４】
対象個体において免疫応答を引き起こす方法であって、前記対象個体に、免疫応答を引き起こすのに有効な量の、請求項１〜６のいずれか１項に記載のポリペプチド、請求項７に記載のＶＬＰ、または請求項１０に記載の医薬組成物を投与するステップを含む方法。
【請求項１５】
（ａ）請求項８に記載の単離核酸、請求項９に記載の組換え発現ベクター、および請求項１０に記載の組換え宿主細胞のうち少なくともいずれかと、
（ｂ）薬学的に許容可能な担体と
を含む、医薬組成物。
【請求項１６】
対象個体におけるＲＳＶを原因とする疾患のモニタリング、およびＲＳＶワクチンによる免疫に対する対象個体の応答のモニタリングのうち少なくともいずれか一方を行うための方法であって、請求項１〜６のいずれか１項に記載のポリペプチド、請求項７に記載のＶＬＰ、または請求項１１に記載の医薬組成物を、対象個体由来の体液と接触させるステップと、対象個体の体液中のＲＳＶ結合抗体を検出するステップとを含む方法。
【請求項１７】
体液は血清または全血を含む、請求項１６に記載の方法。
【請求項１８】
ＲＳＶ結合抗体を検出する方法であって、
（ａ）請求項１〜６のいずれか１項に記載のポリペプチド、請求項７に記載のＶＬＰ、または請求項１１に記載の組成物を、ＲＳＶ結合抗体の候補を含む組成物と、ＲＳＶ抗体が前記ポリペプチド、ＶＬＰ、または組成物に結合するのに適した条件下で接触させるステップと、
（ｂ）前記ポリペプチド、ＶＬＰ、または組成物とのＲＳＶ抗体複合体を検出するステップと
を含む方法。
【請求項１９】
ＲＳＶ抗体を単離するステップをさらに含む、請求項１８に記載の方法。
【請求項２０】
ＲＳＶ抗体を生産する方法であって、
（ａ）対象個体に、抗体応答を引き起こすのに有効な量の、請求項１〜６のいずれか１項に記載のポリペプチド、請求項７に記載のＶＬＰ、または請求項１１に記載の組成物を投与するステップと、
（ｂ）対象個体によって産生された抗体を単離するステップと
を含む方法。
【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
個体の神経細胞の原形質膜を脱分極化または過分極化するための個体の治療方法に用いるための、ランタニドをドープした複数のナノ粒子を含む製造品であって、前記治療方法が、
（ａ）前記神経細胞に近接してランタニドをドープした複数のナノ粒子を配置することと、
（ｂ）前記複数のナノ粒子を、赤外線（ＩＲ）または近赤外線（ＮＩＲ）スペクトル内の電磁放射線に曝露させることであって、このとき前記ＩＲまたはＮＩＲスペクトル内の前記電磁放射線が、前記ナノ粒子によって可視スペクトル内の光に上方変換され、光応答性オプシンが、前記神経細胞の原形質膜上で発現され、前記可視スペクトル内の光によるオプシンの活性化が、前記原形質膜の脱分極または過分極を誘導することと、
を含むものである、製造品。
【請求項２】
個体の神経細胞の原形質膜を脱分極化または過分極化するための個体の治療方法に用いるための、光応答性オプシンを符号化するポリヌクレオチドを含む製造品であって、前記治療方法が、
（ａ）光応答性オプシンを符号化するポリヌクレオチドを個体に投与することであって、このとき前記光応答性タンパク質が、個体の神経細胞の原形質膜上で発現され、前記オプシンが、光で照明された時に神経細胞の膜脱分極または過分極を誘導することが可能であることと、
（ｂ）前記神経細胞に近接してランタニドをドープした複数のナノ粒子を投与することと、
（ｃ）前記複数のナノ粒子を、赤外線（ＩＲ）または近赤外線（ＮＩＲ）スペクトル内の電磁放射線に曝露させることであって、このとき前記ＩＲまたはＮＩＲスペクトル内の前記電磁放射線が、可視スペクトル内の光に上方変換され、前記可視スペクトル内の光によるオプシンの活性化が、前記原形質膜の脱分極または過分極を誘導することと、
を含むものである、製造品。
【請求項３】
前記の脱分極を誘導する光応答性オプシンが、ＣｈＲ２（配列番号５）と少なくとも９０％同一であるか、または、Ｃ１Ｖ１（配列番号８）と少なくとも９０％同一であるアミノ酸配列を含む、請求項１または２に記載の製造品。
【請求項４】
前記の脱分極を誘導する光応答性オプシンが、ＳＦＯ（配列番号６）と少なくとも９０％同一、ＳＳＦＯ（配列番号７）と少なくとも９０％同一、、Ｃ１Ｖ１−Ｅ１２２Ｔ（配列番号９）と少なくとも９０％同一、Ｃ１Ｖ１−Ｅ１６２Ｔ（配列番号１０）と少なくとも９０％同一、またはＣ１Ｖ１−Ｅ１２２Ｔ／Ｅ１６２Ｔ（配列番号１１）と少なくとも９０％同一なアミノ酸配列を含む、請求項１または２に記載の製造品。
【請求項５】
前記の過分極を誘導する光応答性オプシンが、ＮｐＨＲ（配列番号１）と少なくとも９０％同一であるアミノ酸配列を含むか、または、ＧｔＲ３（配列番号４）と少なくとも９０％同一であるアミノ酸配列を含む、請求項１または２に記載の製造品。
【請求項６】
前記ランタニド金属が、ランタン、セリウム、プラセオジム、ネオジム、プロメチウム、サマリウム、ユーロピウム、ガドリニウム、テルビウム、ジスプロシウム、ホルミウム、エルビウム、ツリウム、イッテルビウム、およびルテチウムからなる群より選択される、請求項１から５のいずれか一項に記載の製造品。
【請求項７】
前記ナノ粒子が、ＮａＹＦ４：Ｙｂ／Ｘ／Ｇｄを含み、Ｘが、Ｅｒ、Ｔｍ、またはＥｒ／Ｔｍである、請求項１から６のいずれか一項に記載の製造品。
【請求項８】
前記ナノ粒子が、ドープされたナノ粒子である、請求項１から７のいずれか一項に記載の製造品。
【請求項９】
発光ダイオードが、約７００ｎｍ〜１０００ｎｍにおける光を送達する、請求項１から８のいずれか一項に記載の製造品。
【請求項１０】
前記ナノ粒子が、４５０〜５５０ｎｍの間の光を発する、請求項１から９のいずれか一項に記載の製造品。
【請求項１１】
前記ＩＲまたはＮＩＲスペクトル内の電磁放射線が、
（ａ）約４５０ｎｍ〜約５５０ｎｍの波長を有する光に上方変換されるか、
（ｂ）赤色、黄色または琥珀色の光に対応する波長を有する光に上方変換されるか、または、
（ｃ）緑色または青色の光に対応する波長を有する光に上方変換される、
請求項１から１０のいずれか一項に記載の製造品。
【請求項１２】
前記個体が、ヒト以外の動物である、請求項１から１１のいずれか一項に記載の製造品。
【請求項１３】
前記個体が、ヒトである、請求項１から１１のいずれか一項に記載の製造品。
【請求項１４】
ヒトまたはヒト以外の動物の頭蓋骨が外科的に薄くされ、ＩＲまたはＮＩＲの源を、薄くなった頭蓋骨領域上に直接配置される、請求項１２または１３に記載の製造品。
【請求項１５】
前記神経細胞が、中枢神経系または末梢神経系内の神経細胞である、請求項１から１４のいずれか一項に記載の製造品。